(57)【要約】【目的】  土中に入り易く、かつ、土中に入ってから土中から抜き取り易い電動スコップの実現を目的とする。【構成】  掬い面５の先端に複数の槍状突出部１、２を設け、さらに、この槍状突出部１、２の裏面に沿って凸部３、４を設ける。【選択図】            図３
2005171682.tif 000002
【特許請求の範囲】
【請求項１】
電動式のスコップにおいて、
その掬い面の先端に設けられた複数の槍状突出部と、
この槍状突出部の裏面に沿って突起する凸部と
を有することを特徴とする電動式スコップ。
【請求項２】
前記凸部は前記掬い面の後方に向かうほど高くなるような傾斜を有することを特徴とする請求項１に記載の電動式スコップ。
【発明の詳細な説明】
【技術分野】
【０００１】
本発明は、電動スコップに関し、特に掬い面の先端部が土中に入り易く、かつ、土中に入ってから土中から抜き取り易い電動スコップに関する。
【背景技術】
【０００２】
従来からある穴掘り用のスコップとしては、例えば、角スコップ（掬い面の形状が四角形状のスコップ）、剣スコップ（掬い面の形状が剣先状のスコップ）、円匙スコップ（掬い面の形状が円匙状のスコップ）など数多くの形状のスコップが存在する。これらのスコップを使用して穴を掘る際には、通常は、柄の部分を手で握り、先端の掬い面の足掛け部に足を掛け、その部分に体重を移して掬い面を土中に突き刺し、所望の深さまで掬い面の先端が達したら、梃子の原理を使って土を掬い上げるようにしている。しかし、この作業は、体全体を使って行う作業であるため、腕が突っ張ったり、腰が痛くなったりして、大変な重労働になっていた。
このため、最近では、電動式の電動スコップが開発されている。このような電動スコップによれば、掬い面を土中に突き刺す動作を電動で行っているため、ある程度少ない労力で所定深さの穴を掘ることができる。
しかし、掬い面が四角形状の電動の角スコップにしろ、掬い面が剣先状の電動の剣スコップにしろ、その先端部を硬い土中に入れようとするとき、なかなか入り難いという問題がある。
そこで、例えば、特許文献１に示すように、掬い面の先端部に数条の槍状突起を設けるようにして、このような問題を解決し、比較的容易に土中に入り易くしたスコップが見られる。
【特許文献１】特開平１１−２８０１０２号公報（第２頁、図１）。
【発明の開示】
【発明が解決しようとする課題】
【０００３】
しかしながら、掬い面の先端に数条の槍状突起を設けるようにすると、電動式スコップを土中に進入する際は入り易くできるが、一旦先端部が土中に突き刺さった後でそれを抜こうとするときには、掬い面が土と密接しているため、従来のものと同様に掬い面を前後左右にゆすって土中から抜かなければならず、抜く際の作業性が悪いという問題が依然として残る。とりわけ、粘土質の土を掘る際には、掬い面と土との密着性が特に高くなるため、作業が重労働になってしまう。
本発明は、この問題を解決して、進入時には土中に入り易く、引き出す際には土中から引き抜き易い、作業性に優れた電動スコップの提供を課題とする。
【課題を解決するための手段】
【０００４】
上記課題を解決するため、本発明は、電動式のスコップにおいて、その掬い面の先端に設けられた複数の槍状突出部と、この槍状突出部の裏面に沿って突起する凸部とを有することを特徴とする。
また、本発明は、前記凸部は前記掬い面の後方に向かうほど高くなるような傾斜を有することを特徴とする。
【発明の効果】
【０００５】
以上のように、本発明の電動式のスコップは、掬い面の先端に複数の槍状突出部を設けたので、先端に力が集中して土中への入りが良い。また、槍状突出部の裏面に連続した傾斜を持つ突起があるため、掬い面が土中に進入するにつれて地面からの反力が槍状突出部の先端を表面方向を起こすように動作し、掬い面と地面の間に隙間が生まれ、土中から引き抜き易くなる。したがって穴掘りの作業性が大幅に改善される。
【発明を実施するための最良の形態】
【０００６】
図１に本発明の一実施の形態の電動スコップの上面図、図２にその側面図、図３にその裏面図、図４にこの電動スコップの槍状突出部のＡ−Ａ´平面断面図、図５にこの電動スコップの保持部のＢ−Ｂ´平面断面図を示す。図１乃至図５において、符号１は中央槍状突出部、符号２は両側槍状突出部、符号３は中央凸部、符号４は両側凸部、符号５は掬い面、符号６は柄部、符号７は挿入端部、符号８は保持部である。図からわかるように、本実施の形態の電動スコップは、掬い面５の先端が３つの槍状突出部１、２に分かれており、槍状突出部１、２の先端は尖っていて土中に入り易くなっている。これらの槍状突出部１、２のうち中央の中央槍状突出部１が長く、両側の両側槍状突出部２はこれよりも短く構成されている。また、これらの槍状突出部１、２の裏面にあたる側には、それぞれ凸部がその長さ方向に延長して設けられている。これらの凸部のうち、中央槍状突出部１裏の中央凸部３は他の両側槍状突出部２裏の両側凸部４よりも幅が広く、厚みが厚くなっている。
【０００７】
この電動スコップを使用する際には、図示しない駆動機械の工具受け内に本電動スコップの挿入端部７を挿入し、保持部８を駆動機械の８部形状に差し込み抜け止めをすることで保持される。そうして、作業者は、本電動スコップの掬い面５の先端の槍状突出部１、２を掘削したい地面に押し当てて力を加えつつ駆動機械を動作させる。駆動機械が動作すると電動スコップは駆動され、振動が挿入端部７から柄部６を介して掬い面５に伝わり、掬い面５の先端の槍状突出部１、２は前後に駆動され、駆動機械に押圧を加えることで土中に入って行く。
【０００８】
地面への進入に際して、本電動スコップでは、掬い面５の先端が槍状突出部１、２に分かれてその先端が尖っているため、力がこの槍状突出部１、２先端に集中される。その上、地面へ進入される面積が従来のスコップに比して小さく地面からの抵抗が少ない。そのため、比較的容易に掬い面５を土中に進入させることができる。
【０００９】
また、本電動スコップでは中央槍状突出部１の裏面に中央凸部３が、両側槍状突出部２の裏面に両側凸部４が設けられている。そうして、これらの凸部３、４は先端から後方に向かうほど高くなるような傾斜を持っている。したがって、掬い面５が地面に進入されていくと、地面に進入させる力に対する地面からの反力がこれらの凸部３、４に働いて、槍状突出部１、２の先端を起こすように動作し、掬い面５と地面の間に自然に隙間が生まれ、従来のスコップのように掬い面５が土に密着することが避けられる。
【００１０】
このときの掬い面５の動きを図６に示す。図６のａの位置から押圧力を加えて図６ｂのように電動スコップの掬い面５を地面に進入していくと、地面からの反力が凸部３、４に作用し、図６ｃのように掬い面５は先端が幾分起こされるように土中に入って行く。このため、掬い面５の裏面側と地面との間に隙間が生まれて、粘土質の地面であっても掬い面５が土に密着することが無く、容易に引き抜くことができる。
【００１１】
掬い面５が所定深さまで地面に進入されると、今度は駆動機械に柄部６を地面に向けて下げる方向に力を加える。すると電動スコップは凸部３、４の頂点を支点に梃子の原理に従って回転し、掬い面５上の土を比較的楽に掘り起こすことができる。本実施の形態の電動スコップでは、中央槍状突出部１の裏面の中央凸部３の高さが両側槍状突出部２の裏面の両側凸部の高さよりも高くしてある。この凸部３、４は槍状突出部１、２で受けた力を掬い面５全体に伝えて、掬い面５を補強する役割を果たすとともに、電動スコップを地面に進入する際には、まず主要な力が強度的に強い中央槍状突出部１にかかり、その後で掬い面５と地面の間の隙間がある程度広がってから両側槍状突出部２に力が加わる形になるため、掬い面５全体の強度を充分に維持することができる。
【００１２】
以上、本発明を一実施の形態に沿って説明したが、本発明はこの実施の形態に限られるものではなく、本発明の主旨に一致する範囲でさまざまな対応が考えられる。例えば、図１乃至図５では中央槍状突出部１の長さを長く、両側槍状突出部２の長さを短く示したが、同じ長さで並んでいても差し支えない。同様に、中央凸部３を両側凸部４よりも幅広く厚いものとして説明したが、幅が同じであっても、厚みが同じであっても、両者が同じであっても差し支えない。さらに、槍状突出部の本数も４本、５本あるいはそれ以上の対応が可能である。また、挿入端部７や保持部８についても通常行われている形態のどのようなものでも用いることができることは勿論である。
【産業上の利用可能性】
【００１３】
上述のように、本発明の電動スコップは、掬い面５の先端部が鋭く尖った槍状突出部１、２に分かれているので、先端に力が集中して土中に入り易く、また、この槍状突出部１、２の裏面に連続した傾斜を持つ突起３、４があるため、掬い面５が土中に進入するにつれて地面からの反力で掬い面５と地面の間に隙間が生まれ、土中から引き抜き易くなる。したがって土を掘り起こしたり、ほぐしたりする穴掘りの作業性が大幅に改善され、容易に穴掘りを実現することができ、作業者の負担を少なくすることができ、土木建設、農業、林野業、鉄路や道路の整備など広範な分野での利用を見込むことができる。
【図面の簡単な説明】
【００１４】
【図１】本発明の形態の電動スコップの上面図である。
【図２】本発明の形態の電動スコップの側面図である。
【図３】本発明の形態の電動スコップの裏面図である。
【図４】本発明の形態の電動スコップの槍状突出部のＡ−Ａ´平面断面図である。
【図５】本発明の形態の電動スコップの保持部のＢ−Ｂ´平面断面図である。
【図６】本発明の形態の電動スコップの掬い面の動きを示す説明図である。
【符号の説明】
【００１５】
１    中央槍状突出部
２    両側槍状突出部
３    中央凸部
４    両側凸部
５    掬い面
６    柄部
７    挿入端部
８    保持部
【図１】
2005171682.tif 000003
【図２】
2005171682.tif 000004
【図３】
2005171682.tif 000005
【図４】
2005171682.tif 000006
【図５】
2005171682.tif 000007
【図６】
2005171682.tif 000008